(57)【要約】【課題】杖での移動中に小休止をとろうとしても、座れる場所が見つからなければ、立ち往生してしまう。歩行用杖では休憩を取ることは不可能だった。  本発明は、杖の移動時に小休止するのに座位をとるための座面付き移動用杖を提供する。【解決手段】座面に腰もたれを取り付け、腰もたれの上辺中心部に、柔らかい素材の握り部があり、周りには指入れ部を設け、座面裏側の前側一辺から略中心部には手荷物を掛ける２つの荷物掛け部があり、座面裏側の略中心部からコの字型ベース上部の略中心部にかけて、１０段階調節付きの支柱を設け、ベースの形状はコの字型でヘコミ部内に２つのキャスターがあり、コの字型ベース上面の左右の出っ張り部の略中心には、略コの字型の転倒を防止させる  レバーが蝶番で取り付けられ、転倒を防止するレバーの上下を仮り固定させる、とめ具を設け、コの字型ベース裏側の略四つ角には滑り止め足ゴムを設けたことを特徴とする腰掛け座面付き移動用杖。【選択図】図１
2016087392.tif 000002
【特許請求の範囲】
【請求項１】
全体構造は略正方形で、樹脂などの軽くて薄い素材で出来ている座面があり、四辺のうち後部一辺には、腰もたれが設けられており、腰もたれの上辺の中央部には、約指４本分で握れるくらいの握り部が取り付けられており、握り部の下辺から下に、指が約４本入る大きさの指入れ部がある。座面裏側には高さ調節ができる支柱が、コの字型ベースまで伸びており、支柱の真ん中に高さ調節の固定用リングがあり、コの字型ベースのヘコミ部には２個の移動用キャスターが取り付けられ、コの字型ベースの左右にある、出っ張り部上の左右からは、蝶番にて取り付けられた、転倒を防ぐレバーを上下させる、レバー固定具を設けてあり、コの字型ベースの裏側には、四辺沿いの前側にはＬ型滑り止め足ゴム、後ろ側には略正方形の四角い滑り止め足ゴムが設けられており、各部構造は、樹脂などの薄くて軽い素材で出来ており、厚さ約１センチ、縦横約２０センチの略正方形をした座面があり、座面上の略中心には、座った際に安定するように、座面と同じ素材で、ざらついた感触があるかのように作られた、ザラつき部があり、座面四辺の後ろ側一辺には、幅約２０センチ、高さ約１０センチで座った際に、後方に転倒しないように、腰もたれが設けられていて、腰もたれ上辺の中心部には、幅約１０センチ、直径約２センチの柔らかい素材で出来た握り部があり、握り部下辺から下へ約３センチ、幅約１０センチで、指が約４本入る、指入れ部が設けられており、次に座面裏側の後ろ側一辺より、約９センチ離れた略中心部に、２本のバランスよく並んだ、直径約２センチの高さ調節付き支柱が設けられており、高さは約４５センチから約７５センチに調節が可能で、座面裏側から出ていて、２本の高さ調節付き支柱上側には、約３センチ間隔であけられた１０個の高さ調節用の穴があり、２本の高さ調節付き支柱上側より、高さ調節付き支柱下側は直径が小さくなっており、高さ調節用の穴に入るサイズで出来た、調節ボタンが一つ取り付けられていて、上側下側２つの高さ調節付き支柱が、重なり合うようになっており、全体の高さ調節付き支柱の略中心部には、グラつきを抑える為の、固定用リングが設けられており、２本の下側高さ調節付き支柱は、厚さ約１センチ、縦横２０センチの正方形ではあるが、後ろ側一辺が横幅約１２センチ、奥行約５センチのヘコミ部がある、コの字型ベースの上部にあり、２本の下側高さ調節付き支柱の取り付け位置は、座面裏側に固定された、２本の上側高さ調節付き支柱と同じような位置で固定されており、上側下側支柱で一つの高さ調節付き支柱が成り立ち、コの字型ベースにあるヘコミ部の略両端には、移動時に杖を斜めにした際、地面に設置するような形で、水平時には約１センチ位浮くような位置にて、直径約３センチの左右の移動用キャスターが均等に並び、左右の移動用キャスターの中心に一本の芯棒が入り、コの字型ベース上に取り付けられており、コの字型ベースの左右出っ張り部上の略中心には、座面に座った際には、後方に重心が掛かり転倒しないように、直径約１センチ、長さは左右の出っ張り部間をコの字でつなげた形をした、コの字型ベースの後方一辺より、約１０センチ離した大きさの、転倒を防止するレバーが蝶番形状で固定されており、座る時や移乗等の際は、手や足で転倒を防止するレバーを、地面に接地するように下げて、引っ張り移動時や杖としての使用の際には、転倒を防止するレバーを略垂直位置に上げる。その際、蝶番形状の略下側には転倒を防止するレバーが、上下位置にある時にしっかりと仮り固定されるように、ストッパーのような、とめ具が設けられており、コの字型ベースの裏側構造は、前側の２角辺より略内側に、幅約１センチ、長さ約１０センチ、厚さ１センチのゴム素材で出来たＬ字型滑り止め足ゴムが、２辺の角に合わせたような位置に、均等にＬ字型で取り付けられており、後方の出っ張り部側は略内側には、出っ張り部の形状に合わせたような、略長方形で厚さ約１センチの四角い滑り止め足ゴムが取り付けられており、座面の四つ角とコの字型ベースの角にあたる場所は全て、丸みを施してあり、足に当たっても傷を負わないように工夫されている。左右の移動用キャスターはキャリーバックのように本体を斜めにすることで左右の移動用キャスターが地面に設置し、動かすことも出来て、座面裏側の前側一辺から中心部に向けて、約３センチの場所には、長さ約４センチの柔らかい素材で出来た荷物掛け部が、２つ均等に取り付けられ、手荷物を引っ掛けることが可能で片手があく為、転倒のなどを防止する構造を設けた座面付き移動用杖。
【発明の詳細な説明】
【技術分野】
【０００１】  本発明は、高齢者・障害者等が歩行補助や待機時、リハビリ等に使用する為の杖に関するものである。
【背景技術】
【０００２】  従来の杖では、移動中の際に小休止が出来ず、ベンチや座位の取れる場所を時間をかけて探さなくてはならなかった。
なお、容易に腰掛けの補助ができ、且つ立ち上がり易いステッキ及び、立ち上がり易い椅子が知られている（特許文献１参照）。
【先行技術文献】
【特許文献】
【０００３】
【特許文献１】  特開１１−３０９００７号公報
【発明の概要】
【発明が解決しようとする課題】
【０００４】  杖での移動中に小休止をとろうとしても、座れる場所が見つからなければ、腰を下ろせず立ち往生してしまう。歩行用杖では休憩を取ることは不可能だった。
本発明は、以上の問題点を解決する為になされたものである。
【課題を解決するための手段】
【０００５】  全体構造は略正方形で、樹脂などの軽くて薄い素材で出来ている座面があり、四辺のうち後部一辺には、腰もたれが設けられており、腰もたれの上辺の中央部には、約指４本分で握れるくらいの握り部が取り付けられており、握り部の下辺から下に、指が約４本入る大きさの指入れ部がある。座面裏側には高さ調節ができる支柱が、コの字型ベースまで伸びており、支柱の真ん中に高さ調節の固定用リングがある。コの字型ベースのヘコミ部には２個の移動用キャスターが取り付けられ、コの字型ベースの左右にある、出っ張り部上の左右からは、蝶番にて取り付けられた、転倒を防ぐレバーを上下させる、レバー固定具を設けてある。コの字型ベースの裏側には、四辺沿いの前側にはＬ型滑り止め足ゴム、後ろ側には略正方形の四角い滑り止め足ゴムが設けられている。
各部構造は、樹脂などの薄くて軽い素材で出来ており、厚さ約１センチ、縦横約２０センチの略正方形をした座面があり、座面上の略中心には、座った際に安定するように、座面と同じ素材で、ざらついた感触があるかのように作られた、ザラつき部があり、座面四辺の後ろ側一辺には、幅約２０センチ、高さ約１０センチで座った際に、後方に転倒しないように、腰もたれが設けられている。腰もたれ上辺の中心部には、幅約１０センチ、直径約２センチの柔らかい素材で出来た握り部があり、握り部下辺から下へ約３センチ、幅約１０センチで、指が約４本入る、指入れ部が設けられている。
次に座面裏側の後ろ側一辺より、約９センチ離れた略中心部に、２本のバランスよく並んだ、直径約２センチの高さ調節付き支柱が設けられており、高さは約４５センチから約７５センチに調節が可能で、座面裏側から出ている。２本の高さ調節付き支柱上側には、約３センチ間隔であけられた１０個の高さ調節用の穴があり、２本の高さ調節付き支柱上側より、高さ調節付き支柱下側は直径が小さくなっており、高さ調節用の穴に入るサイズで出来た、調節ボタンが一つ取り付けられていて、上側下側２つの高さ調節付き支柱が、重なり合うようになっており、全体の高さ調節付き支柱の略中心部には、グラつきを抑える為の、固定用リングが設けられている。
２本の下側高さ調節付き支柱は、厚さ約１センチ、縦横２０センチの正方形ではあるが、後ろ側一辺が横幅約１２センチ、奥行約５センチのヘコミ部がある、コの字型ベースの上部にあり、２本の下側高さ調節付き支柱の取り付け位置は、座面裏側に固定された、２本の上側高さ調節付き支柱と同じような位置で固定されており、上側下側支柱で一つの高さ調節付き支柱が成り立つ。
そして、コの字型ベースにあるヘコミ部の略両端には、移動時に杖を斜めにした際、地面に設置するような形で、水平時には約１センチ位浮くような位置にて、直径約３センチの左右の移動用キャスターが均等に並び、左右の移動用キャスターの中心に一本の芯棒が入り、コの字型ベース上に取り付けられている。
また、コの字型ベースの左右出っ張り部上の略中心には、座面に座った際には、後方に重心が掛かり転倒しないように、直径約１センチ、長さは左右の出っ張り部間をコの字でつなげた形をした、コの字型ベースの後方一辺より、約１０センチ離した大きさの、転倒を防止するレバーが蝶番形状で固定されており、座る時や移乗等の際は、手や足で転倒を防止するレバーを、地面に接地するように下げて、引っ張り移動時や杖としての使用の際には、転倒を防止するレバーを略垂直位置に上げる。その際、蝶番形状の略下側には転倒を防止するレバーが、上下位置にある時にしっかりと仮り固定されるように、ストッパーのような、とめ具が設けられている。
そして、コの字型ベースの裏側構造は、前側の２角辺より略内側に、幅約１センチ、長さ約１０センチ、厚さ１センチのゴム素材で出来たＬ字型滑り止め足ゴムが、２辺の角に合わせたような位置に、均等にＬ字型で取り付けられており、後方の出っ張り部側は略内側には、出っ張り部の形状に合わせたような、略長方形で厚さ約１センチの四角い滑り止め足ゴムが取り付けられている。
また、座面の四つ角とコの字型ベースの角にあたる場所は全て、丸みを施してあり、足に当たっても傷を負わないように工夫されている。左右の移動用キャスターはキャリーバックのように本体を斜めにすることで左右の移動用キャスターが地面に設置し、動かすことが出来る。
そして、座面裏側の前側一辺から中心部に向けて、約３センチの場所には、長さ約４センチの柔らかい素材で出来た荷物掛け部が、２つ均等に取り付けられ、手荷物を引っ掛けることが可能で片手があく為、転倒のなどを防止出来る。
以上の構成よりなる腰掛け座面付き移動用杖。
【発明の効果】
【０００６】  従来不可能とされていた座面付き杖を、本発明により可能にし、安全に利用する事が出来る。従来では座面がない為、小休止や移乗等のサポートは行えなかった。
本発明ではベッドや車椅子・車両座位からの移乗もスムーズに行え、布団より起き上がりの際も座面を使用することで、サポートが楽になる。転倒を防ぐレバーは足操作が出来る為、無理な体勢にならず足腰に負担をかけずに行う事が出来る。
そして、軽量で安定した構造である為、リハビリ等・複数の効果を得られる事で、高齢者・障害者等の役に立ち、幅広い用途に対応出来る。
【図面の簡単な説明】
【０００７】
【図１】本発明の斜視図
【図２】本発明の使用状態を示す斜視図
【発明を実施するための形態】
【０００８】  以下、本発明の実施の形態を説明する。
全体構造は略正方形で、樹脂などの軽くて薄い素材で出来ている座面（１）があり、四辺のうち後部一辺には、腰もたれ（２）が設けられており、腰もたれ（２）の上辺の中央部には、約指４本分で握れるくらいの握り部（３）が取り付けられており、握り部（３）の下辺から下に、指が約４本入る大きさの指入れ部（４）がある。座面裏側（５）には高さ調節付き支柱（６）が、コの字型ベース（７）まで伸びており、高さ調節付き支柱（６）の真ん中に、高さ調節の固定用リング（８）がある。コの字型ベース（７）のヘコミ部（９）には２個の移動用キャスター（１０）が取り付けられ、コの字型ベース（７）の左右にある、出っ張り部（１１）上の左右からは、蝶番（１２）にて取り付けられた、転倒を防ぐレバー（１３）を上下させる、レバー固定具（１４）を設けてある。コの字型ベース（７）の裏側には、四辺沿い（１５）の前側にはＬ型滑り止め足ゴム（１６）、後ろ側には略正方形の四角い滑り止め足ゴム（１７）が設けられている。
各部構造は、樹脂などの薄くて軽い素材で出来ており、厚さ約１センチ、縦横約２０センチの略正方形をした座面（１）があり、座面上の略中心には、座った際に安定するように、座面（１）と同じ素材で、ざらついた感触があるかのように作られた、ザラつき部（１８）があり、座面四辺の後ろ側一辺には、幅約２０センチ、高さ約１０センチで座った際に、後方に転倒しないように、腰もたれ（２）が設けられている。腰もたれ（２）上辺の中心部には、幅約１０センチ、直径約２センチの柔らかい素材で出来た握り部（３）があり、握り部（３）下辺から下へ約３センチ、幅約１０センチで、指が約４本入る、指入れ部（４）が設けられている。
次に座面裏側（５）の後ろ側一辺より、約９センチ離れた略中心部（１９）に、２本のバランスよく並んだ、直径約２センチの高さ調節付き支柱（６）が設けられており、高さは約４５センチから約７５センチに調節が可能で、座面裏側（５）から出ている。２本の高さ調節付き支柱上側（２１）には、約３センチ間隔であけられた１０個の高さ調節用の穴（２０）があり、２本の高さ調節付き支柱上側（２１）より、高さ調節付き支柱下側（２２）は直径が小さくなっており、高さ調節用の穴（２０）に入るサイズで出来た、調節ボタン（２３）が一つ取り付けられていて、上側下側２つの高さ調節付き支柱（６）が、重なり合うようになっており、全体の高さ調節付き支柱（６）の略中心部には、グラつきを抑える為の、固定用リング（８）が設けられている。
２本の高さ調節付き支柱下側（２２）は、厚さ約１センチ、縦横２０センチの正方形ではあるが、後ろ側一辺が横幅約１２センチ、奥行約５センチのヘコミ部（９）がある、コの字型ベース（７）の上部にあり、２本の高さ調節付き支柱下側（２２）の取り付け位置は、座面裏側（５）に固定された、２本の高さ調節付き支柱上側（２１）と同じような位置で固定されており、上側下側支柱で一つの高さ調節付き支柱（６）が成り立つ。
そして、コの字型ベース（７）にあるヘコミ部（９）の略両端には、移動時に杖を斜めにした際、地面に設置するような形で、水平時には約１センチ浮くような位置にて、直径約３センチの左右の移動用キャスター（１０）が均等に並び、左右の移動用キャスター（１０）の中心に一本の芯棒（２４）が入り、コの字型ベース（７）上に取り付けられている。
また、コの字型ベース（７）の左右出っ張り部（１１）上の略中心には、座面（１）に座った際には、後方に重心が掛かり転倒しないように、直径約１センチ、長さは左    右の出っ張り部（１１）間をコの字でつなげた形をした、コの字型ベース（７）の後方一辺より、約１０センチ離した大きさの、転倒を防止するレバー（１３）が蝶番（１２）形状で固定されており、座る時や移乗等の際は、手や足で転倒を防止するレバー（１３）を、地面（２５）に接地するように下げて、引っ張り移動時や杖としての使用の際には、転倒を防止するレバー（１３）を略垂直位置に上げる。その際、蝶番（１２）形状の略下側には転倒を防止するレバー（１３）が、上下位置にある時にしっかりと仮り固定されるように、ストッパーのような、とめ具（２６）が設けられている。
そして、コの字型ベース（７）の裏側構造は、前側の２角辺（２７）より略内側に、幅約１センチ、長さ約１０センチ、厚さ１センチのゴム素材で出来たＬ字型滑り止め足ゴム（１６）が、２辺の角に合わせたような位置に、均等にＬ字型で取り付けられており、後方の出っ張り部（１１）側は略内側には、出っ張り部（１１）の形状に合わせたような、略長方形で厚さ約１センチの四角い滑り止め足ゴム（１７）が取り付けられている。
また、座面（１）の四つ角（２８）とコの字型ベース（７）の角（２９）にあたる場所は全て、丸みを施してあり、足に当たっても傷を負わないように工夫されている。左右の移動用キャスター（１０）はキャリーバックのように本体を斜めにすることで左右の移動用キャスター（１０）が地面に設置し、動かすことが出来る。
そして、座面裏側（５）の前側一辺から中心部に向けて、約３センチの場所には、長さ約４センチの柔らかい素材で出来た荷物掛け部（３０）が、２つ均等に取り付けられ、手荷物を引っ掛けることが可能で片手があく為、転倒のなどを防止出来る。
【符号の説明】
【０００９】１．座面、  ２．腰もたれ、  ３．握り部、  ４．指入れ部、
５．座面裏側、  ６．高さ調節付き支柱、  ７．コの字型ベース、
８．固定用リング、  ９．ヘコミ部、  １０．移動用キャスター、
１１．出っ張り部、  １２．蝶番、  １３．転倒を防止するレバー、
１４．レバー固定部、  １５．四辺沿い、  １６．Ｌ型滑り止め足ゴム、
１７．四角い滑り止め足ゴム、  １８．ザラつき部、  １９．略中心部、
２０．高さ調節用の穴、  ２１．高さ調節用支柱上側、
２２．高さ調節用支柱下側、  ２３．調節ボタン、  ２４．芯棒、
２５．地面、  ２６．とめ具、  ２７．２辺角、  ２８．四つ角、
２９．角、  ３０．荷物掛け部、
【図１】
2016087392.tif 000003
【図２】
2016087392.tif 000004
【図３】
2016087392.tif 000005
【図４】
2016087392.tif 000006
【図５】
2016087392.tif 000007
【手続補正書】
【提出日】平成26年12月19日(2014.12.19)
【手続補正２】
【補正対象書類名】明細書
【補正対象項目名】０００７
【補正方法】変更
【補正の内容】
【０００７】
【図１】  本発明の斜視図
【図２】  本発明の使用状態を示す側面図
【図３】  本発明の全体構造を示す分解図
【図４】  本発明を使用して歩行状態を示す図
【図５】  本発明を使用してベッド上より移乗動作を示す図